(57)【要約】【課題】洗面室壁側開口部と居室壁側開口部とを互いにしっかりと連結することができる開口枠を提供する。【解決手段】開口枠１は、居室壁５に設けられた居室側開口部５ａと、居室壁５０の裏面側に壁裏面どうしが隣り合うように配され、洗面室パネル６１付きの洗面室壁６０に設けられた洗面室側開口部６ａとを互いに連結するものであり、見込み方向において居室壁５０よりも洗面室６側に突出するように配設される枠本体１０と、枠本体１０の洗面室側端部１１に配された、洗面室パネル６１の端部が係合する係合部２０と、係合部２０に係合した洗面室パネル６１を保持する保持部材３０とを備えている。【選択図】図１
2020084635.tif 000002
【特許請求の範囲】
【請求項１】
居室壁に設けられた居室側開口部と、該居室壁の裏面側に壁裏面どうしが隣り合うように配され、洗面室パネル付きの洗面室壁に設けられた洗面室側開口部とを互いに連結する開口枠であって、
見込み方向において前記居室壁よりも洗面室側に突出するように配設される枠本体と、該枠本体の洗面室側端部に配された、前記洗面室パネルの端部が係合する係合部と、該係合部に係合した前記洗面室パネルを保持する保持部材とを備えていることを特徴とする開口枠。
【請求項２】
請求項１において、
前記係合部は、前記洗面室パネルを裏面側より支持する、前記洗面室側に支持面を向けた支持部と、該支持部を溝壁とし前記洗面室側に開口した溝部とよりなり、
前記洗面室パネルは、前記支持面に配される添設部と、該添設部の端部より居室方向に折曲された折曲部とを備えており、
前記溝部に前記折曲部が挿入され、前記保持部材により前記添設部が保持されることを特徴とする開口枠。
【請求項３】
請求項２において、
前記保持部材は、前記折曲部に略平行となるように前記溝部に挿入され、前記枠本体に固定具で固定される略Ｕ字状の固定部と、該固定部のＵ字開口側の一方の端部より折曲延出した押さえ部とを備え、該押さえ部で前記添設部を前記枠本体側に押さえるようにしていることを特徴とする開口枠。
【請求項４】
請求項１〜３のいずれか１項において、
前記係合部および前記保持部材を被覆するカバー部材をさらに備えていることを特徴とする開口枠。
【請求項５】
請求項４において、
前記保持部材は、前記洗面室側端部の端面から所定間隔を空けた位置に、前記固定部の両端部より延び、相互に離反するように折曲延出した係止片を有しており、
前記カバー部材は、前記洗面室側端部の端面に略平行に配されるカバー部と、該カバー部の両端より延び、前記洗面室側端部の端面に起立するように配される２片の脚部とを有し、該脚部の内部に、前記係止片に係止される係止突部を備えていることを特徴とする開口枠。
【請求項６】
請求項２〜５のいずれか１項において、
前記溝部は、前記枠本体の長手方向に沿って前記洗面室側端部に形成された凹溝よりなることを特徴とする開口枠。
【請求項７】
請求項２〜５のいずれか１項において、
前記係合部はＬ字部材を有した構成とされ、
前記洗面室側端部の洗面室壁側角部には、前記枠本体の長手方向に沿って切欠き凹所が形成されており、
前記Ｌ字部材が前記切欠き凹所に配されて、Ｌ字の一方片を前記洗面室側に突出させ、Ｌ字の他方片を前記切欠き凹所内の前記洗面室側を向く面に添設させることで前記溝部を構成し、前記一方片で前記支持部を構成したことを特徴とする開口枠。
【発明の詳細な説明】
【技術分野】
【０００１】
本発明は、居室側開口部と洗面室側開口部とを接合する開口枠および開口枠設置構造に関する。
【背景技術】
【０００２】
従来には、居室に隣接するように洗面室を設け、その洗面室の壁パネルを居室側開口部の開口枠に連結させて、洗面室の出入口を形成したものが提案されている（特許文献１参照）。このものは、居室壁に設けられた居室側開口部の開口枠と、居室壁に直交する方向に配された洗面室壁の端部とを、Ｌ字状の接合部材を介して連結する接合構造とされている。
【先行技術文献】
【特許文献】
【０００３】
【特許文献１】特開２００２−２２０８７８号公報
【発明の概要】
【発明が解決しようとする課題】
【０００４】
しかしながら、洗面室壁を居室壁の裏面側に壁裏面が隣り合うように配したものでは、それらの開口部どうしを連結するために、上記のＬ字状の接合部材を使用することはもちろんできない。
【０００５】
また、隣り合う２つの居室間の開口部に取り付ける開口枠は、それらを仕切る居室壁に固定されるものであるが、洗面室壁に固定され得るような構造とはなっておらず、その開口枠を洗面室壁と居室壁とに跨るように用いることはできない。この開口枠の見込み方向の両端にはケーシングが取り付けられるように構成されているが、このケーシングを用いて洗面室壁と連結することもできない。
【０００６】
本発明は、このような事情を考慮して提案されたもので、その目的は、洗面室壁側開口部と居室壁側開口部とを互いにしっかりと連結することができる開口枠を提供することにある。
【課題を解決するための手段】
【０００７】
上記目的を達成するために、本発明の開口枠は、居室壁に設けられた居室側開口部と、該居室壁の裏面側に壁裏面どうしが隣り合うように配され、洗面室パネル付きの洗面室壁に設けられた洗面室側開口部とを互いに連結する開口枠であって、見込み方向において前記居室壁よりも洗面室側に突出するように配設される枠本体と、該枠本体の洗面室側端部に配された、前記洗面室パネルの端部が係合する係合部と、該係合部に係合した前記洗面室パネルを保持する保持部材とを備えていることを特徴とする。
【発明の効果】
【０００８】
本発明の開口枠は上述した構成とされているため、隣り合った洗面室壁側開口部と居室壁側開口部とを互いにしっかりと連結することができる。
【図面の簡単な説明】
【０００９】
【図１】本発明の第１実施形態に係る開口枠の説明図である。（ａ）は開口部の横断面図、（ｂ）は（ａ）のＡ部の拡大横断面図である。
【図２】（ａ）は同実施形態で用いられる保持部材の斜視図、（ｂ）は同平面図である。
【図３】（ａ）（ｂ）は、同開口枠の施工手順を示す部分横断面図（１／２）である。
【図４】（ａ）（ｂ）は、同開口枠の施工手順を示す部分横断面図（２／２）である。
【図５】本発明の第２実施形態に係る開口枠の説明図である。（ａ）は開口部の横断面図、（ｂ）は（ａ）のＢ部の拡大横断面図である。
【図６】（ａ）は同実施形態で用いられるＬ字部材の斜視図、（ａ）は同実施形態で用いられる保持部材の斜視図、（ｃ）は保持部材のＬ字部材に対する位置関係を示す平面図である。
【図７】（ａ）（ｂ）は、同開口枠の施工手順を示す部分横断面図（１／２）である。
【図８】（ａ）（ｂ）は、同開口枠の施工手順を示す部分横断面図（２／２）である。
【発明を実施するための形態】
【００１０】
以下に、本発明の実施の形態について、添付図面をもとに説明する。まず、基本構成について説明する。以下の説明では、縦枠（開口枠１）の施工状態を基準として、上下方向等を規定している。
【００１１】
本開口枠１は、居室壁５０に設けられた居室側開口部５ａと、居室壁５０の裏面側に壁裏面どうしが隣り合うように配され、洗面室パネル６１付きの洗面室壁６０に設けられた洗面室側開口部６ａとを互いに連結するものである。開口枠１は、見込み方向において居室壁５０よりも洗面室６側に突出するように配設される枠本体１０を備えている。さらに開口枠１は、枠本体１０の洗面室側端部１１に配された、洗面室パネル６１の端部が係合する係合部２０と、係合部２０に係合した洗面室パネル６１を保持する保持部材３０とを備えている。
【００１２】
本明細書では、２つの実施形態について説明してあり、いずれの実施形態に係る開口枠１も開き戸８を取り付けるためのものであるが、引き戸に対応したものであってもよい。この開口枠１は、居室壁５０と洗面室壁６０とが隣り合い、その居室側開口部５ａと洗面室側開口部６ａとが重なってなる開口部３に共通的に取り付けられる、複数の部材よりなるものである。
【００１３】
開口枠１としては、見付け方向の開口部３の両側に配される縦枠と、縦枠の上部側に配される上枠とが含まれる。本明細書では、いずれの実施形態についても縦枠を例示して説明する。
【００１４】
居室壁５０は、コンクリート壁を下地５２とし、開口枠１側には木下地５１が固定されている。もちろんこれには限られず、レンガや鉄骨下地、木軸などよりなる壁であってもよい。なお、居室５側の壁面には直接塗装がなされ、あるいは壁ボードが固定されてもよい。
【００１５】
一方、洗面室壁６０は、洗面室パネル６１を表面（洗面室５の空間）側に有し、その洗面室パネル６１は幅木や天井パネル、隣接する洗面室パネル６１に固定されている。洗面室パネル６１の裏面側には、強度保持のための基材として石膏ボード６２が配されている。
【００１６】
開口枠１の枠本体１０は、木質材などよりなる略平板な板状体とされ、開口部３の両側端において向かい合うように、居室壁５０の木下地５１に建付け調整金具１ｂを介して固定、取り付けされる。枠本体１０の表面側（開口側）には、戸当たり部材１ａを取り付ける凹所が設けてあり、その凹所の上下方向の複数箇所で、固定具（不図示）で木下地５１に固定され、それらの固定具は戸当たり部材１ａで隠されている。
【００１７】
また、開口枠１は、枠本体１０の居室側端部に横断面Ｌ字状のケーシング１ｃを有してなる。そのケーシング１ｃは、Ｌ字の一方片が枠本体１０に固定され、他方片で居室壁５０の木下地５１を居室５側より隠すように配設される。
【００１８】
この開口枠１は、上述したように、居室５、洗面室６間で共通の開口部３を形成するために、居室側開口部５ａと洗面室側開口部６ａとを連結、接合するものである。そのために、洗面室６側において、洗面室パネル６１の端部が枠本体１０に設けた係合部２０に係合し、固定されるように構成されている。
【００１９】
以下の第１実施形態に係る開口枠１は、開き戸８が居室５側に開くようにした開口部３に対応したものである一方、第２実施形態に係る開口枠１は、開き戸８が洗面室６側に開くようにした開口部３に対応したものである。
【００２０】
まず、第１実施形態について、図１〜図４を参照しながら説明する。
【００２１】
開口枠１の係合部２０は、洗面室パネル６１を裏面側より支持する、洗面室６側に支持面を向けた支持部２２と、支持部２２を溝壁２１ａとし洗面室６側に開口した溝部２１とよりなる。本実施形態においては、開口枠１の枠本体１０の洗面室側端部１１の端面に、上下方向に延びる凹溝１２が形成されており、この凹溝１２が溝部２１を構成している。また、支持部２２は、枠本体１０に形成された凹溝１２の洗面室壁６０側の凹溝壁（溝壁２１ａ）で構成されている。
【００２２】
洗面室パネル６１は、図１（ｂ）に示すように、支持部２２の支持面に配される添設部６１ａと、添設部６１ａの端部より居室５方向に折曲された折曲部６１ｂとを備えている。この折曲部６１ｂが溝部２１に挿入され、添設部６１ａが保持部材３０により保持される。なお、この折曲部６１ｂの長さ寸法は溝部２１の深さ寸法に略合致している。
【００２３】
図１（ｂ）に示すように、洗面室パネル６１の折曲部６１ｂは、支持部２２を構成する溝壁２１ａの壁面に空間を空けて、折曲部６１ｂの先端が溝底２１ｂに当接するように溝壁２１ａの壁面に略平行に配されている。一方、添設部６１ａは支持部２２の支持面に添設されるように配されている。
【００２４】
このように配された洗面室パネル６１の端部に対し、保持部材３０が覆うように取り付け、固定される。
【００２５】
保持部材３０は、溝部２１の上下方向の複数箇所に取り付け固定される金属または硬質樹脂よりなる短尺部材であり、図２（ａ）に示すように、板材の加工により形成されている。
【００２６】
具体的には、保持部材３０は、略Ｕ字状をなす固定部３１と、固定部３１の一方のＵ字開口側の端部より折曲延出した押さえ部３２と、固定部３１のＵ字開口側の両端部より延び、相互に離反するように折曲延出した係止片３４とを備えている。なお、この保持部材３０は、押さえ部３２の延出方向とは反方向に延びた添設片３３をさらに備えている。
【００２７】
押さえ部３２および添設片３３は、図２に示すように、取付対象である溝部２１の上下方向に対応した両端部に設けられ、係止片３４はそれらの中央に設けられている。また、係止片３４は、押さえ部３２および添設片３３よりも固定部３１から遠ざかる部位に、押さえ部３２および添設片３３に略平行に形成されている。
【００２８】
固定部３１のＵ字突出部の幅寸法は溝部２１の幅寸法よりも小とされ、その底部３１ａに固定具挿通孔３１ｂが開設してある。また、固定部３１の突出寸法は溝部２１の深さ寸法に略合致している。
【００２９】
この保持部材３０は、図１（ｂ）に示すように、固定部３１が、溝部２１に挿入された折曲部６１ｂに略平行となるように、かつ、開口部３側の溝壁２１ａの壁面に添うように挿入され、溝底２１ｂにおいて枠本体１０に固定具３６で固定される。固定部３１の突出寸法が溝部２１の深さ寸法に略合致しているため、押さえ部３２は添設部６１ａを枠本体１０側に押さえるように配される。ようするに、保持部材３０は、添設片３３と固定部３１との入隅を枠本体１０の端面と溝壁２１ａとの出隅にあてがうように取り付けされる。
【００３０】
図１（ｂ）に示すように、押さえ部３２は、支持部２２の支持面上に配された添設部６１ａを、支持部２２との協働により挟持して洗面室パネル６１の端部を固定することが、洗面室パネル６１をしっかりと固定するためには望ましい。なお、支持部２２の支持面に添設されていない添設部６１ａの一部（溝部２１側に配された部分のみ）を押さえ部３２が枠本体１０側に押さえるような態様であってもよい。
【００３１】
また、図１（ｂ）に示すように、保持部材３０の固定部３１は開口部３側の溝壁２１ａの壁面に接するように配されることが望ましく、それにより固定部３１と、支持部２２を構成する溝壁２１ａの壁面との間には十分に広い空隙２３が形成される。その空隙２３の空間に洗面室パネル６１の折曲部６１ｂが配される。本実施形態の例では、図１（ｂ）に示すように、折曲部６１ｂと固定部３１との間にも、わずかな隙間が形成されている。
【００３２】
また、開口枠１は、係合部２０（溝部２１など）および保持部材３０を被覆するカバー部材４０を備えており、そのカバー部材４０は、図１（ｂ）に示すように、洗面室６側に配設される。このカバー部材４０は、正面図は省略するが、溝部２１の上下方向に合致した長尺部材であり、これを取り付けることで、複数の保持部材３０と、それを取り付けた溝部２１とを含む洗面室側端部１１の端面が隠される。
【００３３】
このカバー部材４０の構成については、図３および図４に示した開口枠取付手順の説明とともに説明する。
【００３４】
まず、洗面室パネル６１の端部を折り曲げて添設部６１ａと折曲部６１ｂとを形成しておき、その折曲部６１ｂが溝部２１に挿入されるように、枠本体１０を居室壁５０の木下地５１に固定する。
【００３５】
つぎに、溝部２１における折曲部６１ｂで区画された開口部３側の空間に保持部材３０の固定部３１を挿入し、固定部３１を固定具３６で溝部２１の溝底２１ｂに固定する（図３（ａ）（ｂ）参照）。
【００３６】
ついで、カバー部材４０を取り付ける（図４（ａ）（ｂ）参照）。このカバー部材４０は、硬質樹脂で形成されており、洗面室側端部１１の端面に略平行に配されるカバー部４１と、カバー部４１の両端より延び、洗面室側端部１１の端面に起立するように配される２片の脚部４２とを有している。また、本実施形態では、カバー部４１の反開口部側に延出カバー部４５が形成されており、その端部より洗面室側端部１１の端面に起立するように配される第３脚部４６が形成されている。この延出カバー部４５により、洗面室パネル６１の端部をより幅広く隠すことができる。
【００３７】
また、カバー部４１は内部壁４４により二重構造とされ、それにより強度が高められている。延出カバー部４５と第３脚部４６との入隅部にはリブ壁４７が設けられ、それにより強度が保持されている。
【００３８】
また、２片の脚部４２は、保持部材３０の２片の係止片３４の端部間寸法におおむね合致しており、それぞれの脚部４２の内部には係止突部４３が形成されている。なお、カバー部材４０は軟質樹脂や金属で形成されたものとしてもよい。
【００３９】
このようなカバー部材４０を、洗面室６側より溝部２１に向けて押し込むようにすれば、脚部４２の係止突部４３が保持部材３０の係止片３４の端部を枠本体１０側に押圧する。そして、その係止突部４３が係止片３４を弾性変形させながら乗り越えることで、カバー部材４０が係止片３４により係止されて固定される（図４（ａ）（ｂ）参照）。
【００４０】
カバー部材４０が固定されたときには、図４（ｂ）に示すように、カバー部４１の内部壁４４が係止片３４の外側面に面接触する。つまり、係止片３４は、係止突部４３と内部壁４４とにより、変動しないようにしっかりと保持される。
【００４１】
こうして、洗面室パネル６１は開口枠１に固定され、居室側開口部５ａと洗面室側開口部６ａとが互いに連結される。なお、本実施形態で例示、説明した開口枠１は、開き戸８の戸先側の縦枠であるが、戸尻側の縦枠についても同様の構造、構成であり、同様の開口枠１にて洗面室パネル６１が固定される。また、上枠についても縦枠の構造、構成と同様であり、上枠の上側の洗面室パネル６１の端部を固定できる構成とされている。
【００４２】
ついで、第２実施形態について、図５〜図８を参照しながら説明する。
【００４３】
開口枠１の係合部２０は、洗面室パネル６１を裏面側より支持する、洗面室６側に支持面を向けた支持部２２と、支持部２２を溝壁２１ａとし洗面室６側に開口した溝部２１とよりなる。本実施形態においては、開口枠１の枠本体１０の洗面室側端部１１に、上下方向に延びる切欠き凹所１３が形成されており、その切欠き凹所１３にＬ字部材２５を配することで溝部２１を構成している。また、支持部２２は、Ｌ字部材２５の、洗面室６側に突出した一方片２５ａで構成されている。
【００４４】
洗面室パネル６１は、図５（ｂ）に示すように、支持部２２の支持面に配される添設部６１ａと、添設部６１ａの端部より居室５方向に折曲された折曲部６１ｂとを備えている。この折曲部６１ｂが溝部２１に挿入され、添設部６１ａが保持部材３０により保持される。なお、この折曲部６１ｂの長さ寸法は溝部２１の深さ寸法に略合致している。
【００４５】
図５（ｂ）に示すように、洗面室パネル６１の折曲部６１ｂは、支持部２２を構成する溝壁２１ａの壁面に空間を空けて、折曲部６１ｂの先端が溝底２１ｂに当接するように溝壁２１ａの壁面に略平行に配されている。一方、添設部６１ａは支持部２２の支持面に添設されるように配されている。
【００４６】
このように配された洗面室パネル６１の端部に対し、保持部材３０が覆うように取り付け、固定される。
【００４７】
保持部材３０が固定される溝部２１は、上述したように、洗面室側端部１１の洗面室壁側角部に、枠本体１０の長手方向に沿って形成された切欠き凹所１３にＬ字部材２５を配することで構成されている。
【００４８】
Ｌ字部材２５は、切欠き凹所１３の上下方向の複数箇所に取り付け固定される金属または硬質樹脂よりなる短尺部材である。Ｌ字部材２５は、図５（ｂ）および図６（ａ）に示すように、Ｌ字の一方片２５ａを洗面室６側に突出させ、Ｌ字の他方片２５ｂを切欠き凹所１３内の洗面室６側を向く面に添設させることで溝部２１を構成する。また、一方片２５ａで支持部２２を構成する。なお、Ｌ字部材２５は短尺部材であり、複数のものを切欠き凹所１３に取り付けるため、支持部２２（それを構成する溝壁２１ａ）は不連続に形成されている。なお、支持部２２を連続的に形成するために、長尺のＬ字部材を用いてもよい。
【００４９】
Ｌ字部材２５の他方片２５ｂには、Ｌ字部材２５自体を切欠き凹所１３に固定具で固定するための２つの固定具挿通孔２５ｃと、保持部材３０をＬ字部材２５を介して切欠き凹所１３に取り付けるための固定具挿通孔２５ｄとが開設されている。
【００５０】
一方、保持部材３０は、溝部２１の上下方向の複数箇所に取り付け固定される金属または硬質樹脂よりなる短尺部材であり、図６（ｂ）に示すように板材の加工により形成されている。
【００５１】
具体的には、保持部材３０は、略Ｕ字状をなす固定部３１と、固定部３１の一方のＵ字開口側の端部より折曲延出した押さえ部３２と、固定部３１のＵ字開口側の両端部より延び、相互に離反するように折曲延出した係止片３４とを備えている。
【００５２】
押さえ部３２は、図６に示すように、取付対象である溝部２１の上下方向に対応した両端部に設けられ、係止片３４はそれらの中央に設けられている。また、係止片３４は、押さえ部３２よりも固定部３１から遠ざかる部位に、押さえ部３２に略平行に形成されている。
【００５３】
固定部３１のＵ字突出部の幅寸法は溝部２１の幅寸法よりも小とされ、その底部３１ａに固定具挿通孔３１ｂが開設してある。また、固定部３１の突出寸法は溝部２１の深さ寸法に略合致している。
【００５４】
この保持部材３０は、切欠き凹所１３にＬ字部材２５を取り付けることで形成された溝部２１に固定される。なお図６（ｃ）は保持部材３０のＬ字部材２５に対する位置関係を示している。
【００５５】
保持部材３０は、固定部３１が、溝部２１に挿入された折曲部６１ｂに略平行となるように、かつ、開口部３側の溝壁２１ａの壁面と略平行となるように挿入され、溝底２１ｂにおいて枠本体１０に固定具３６で固定される。固定部３１の突出寸法が溝部２１の深さ寸法に略合致しているため、押さえ部３２は添設部６１ａを枠本体１０側に押さえるように配される。ようするに、保持部材３０は、添設片３３と固定部３１との入隅を枠本体１０の端面と溝壁２１ａとの出隅にあてがうように取り付けされる。
【００５６】
図５（ｂ）に示すように、押さえ部３２は、支持部２２の支持面上に配された添設部６１ａを、支持部２２との協働により挟持して洗面室パネル６１の端部を固定することが、洗面室パネル６１をしっかりと固定するためには望ましい。なお、支持部２２の支持面に添設されていない添設部６１ａの一部（溝部２１側に配された部分のみ）を押さえ部３２が枠本体１０側に押さえるような態様であってもよい。
【００５７】
また、図５（ｂ）に示すように、固定部３１と、支持部２２を構成する溝壁２１ａの壁面との間には空隙２３が形成されるようにすることが望ましい。その空隙２３の空間に洗面室パネル６１の折曲部６１ｂが配される。本実施形態の例では、図５（ｂ）に示すように、折曲部６１ｂと固定部３１との間にも、わずかな隙間が形成されている。
【００５８】
また、開口枠１は、係合部２０（溝部２１など）および保持部材３０を被覆するカバー部材４０を備えており、そのカバー部材４０は、図５（ｂ）に示すように、洗面室６側に配設される。このカバー部材４０は、正面図は省略するが、切欠き凹所１３の上下方向に合致した長尺部材であり、これを取り付けることで、複数の保持部材３０と、それを取り付けた溝部２１（切欠き凹所１３）とを含む洗面室側端部１１の端面が隠される。
【００５９】
このカバー部材４０の構成については、図７および図８に示した開口枠取付手順の説明とともに説明する。
【００６０】
まず、洗面室パネル６１の端部を折り曲げて添設部６１ａと折曲部６１ｂとを形成しておき、その折曲部６１ｂが、あらかじめＬ字部材２５を切欠き凹所１３に取り付けて形成した溝部２１に挿入されるように、枠本体１０を居室壁５０の木下地５１に固定する。
【００６１】
つぎに、溝部２１における折曲部６１ｂで区画された開口部３側の空間に保持部材３０の固定部３１を挿入し、固定部３１を固定具３６で溝部２１の溝底２１ｂに固定する（図７（ａ）（ｂ）参照）。
【００６２】
ついで、カバー部材４０を取り付ける（図８（ａ）（ｂ）参照）。このカバー部材４０は、硬質樹脂で形成されており、洗面室側端部１１の端面に略平行に配されるカバー部４１と、カバー部４１の両端より延び、洗面室側端部１１の端面に起立するように配される２片の脚部４２とを有している。また、本実施形態では、カバー部４１の反開口部側に延出カバー部４５が形成されており、その端部より洗面室側端部１１の端面に起立するように配される第３脚部４６が形成されている。この延出カバー部４５により、洗面室パネル６１の端部をより幅広く隠すことができる。
【００６３】
また、カバー部４１は内部壁４４により二重構造とされ、それにより強度が高められている。延出カバー部４５と第３脚部４６との入隅部にはリブ壁４７が設けられ、それにより強度が保持されている。
【００６４】
また、２片の脚部４２は、保持部材３０の２片の係止片３４の端部間寸法におおむね合致しており、それぞれの脚部４２の内部には係止突部４３が形成されている。なお、カバー部材４０は軟質樹脂や金属で形成されたものとしてもよい。
【００６５】
このようなカバー部材４０を、洗面室６側より溝部２１に向けて押し込むようにすれば、脚部４２の係止突部４３が保持部材３０の係止片３４の端部を枠本体１０側に押圧する。そして、その係止突部４３が係止片３４を弾性変形させながら乗り越えることで、カバー部材４０が係止片３４により係止されて固定される（図８（ａ）（ｂ）参照）。
【００６６】
カバー部材４０が固定されたときには、図８（ｂ）に示すように、カバー部４１の内部壁４４が係止片３４の外側面に面接触する。つまり、係止片３４は、係止突部４３と内部壁４４とにより、変動しないようにしっかりと保持される。
【００６７】
こうして、洗面室パネル６１は開口枠１に固定され、居室側開口部５ａと洗面室側開口部６ａとが互いに連結、接合される。なお、本実施形態で例示、説明した開口枠１は、開き戸８の戸先側の縦枠であるが、戸尻側の縦枠についても同様の構造、構成であり、同様の開口枠１にて洗面室パネル６１が固定される。また、上枠についても縦枠の構造、構成と同様であり、上枠の上側の洗面室パネル６１の端部を固定できる構成とされている。
【００６８】
以上に示した２種の開口枠１によれば、隣り合った洗面室側開口部６ａと居室側開口部５ａとを互いにしっかりと連結することができる。開口枠１の洗面室側端部１１において、枠本体１０と係合部２０と保持部材３０とで洗面室パネル６１の端部を係合、固定する構成であるため、洗面室パネル６１の端部を係合しやすいように加工しておけば、簡単に枠本体１０に取り付けることができる。洗面室パネル６１の端部を開口枠１の端部で保持する構成であるため、洗面室パネル６１を広く使うことができる。
【００６９】
また、洗面室パネル６１の端部を加工形成した折曲部６１ｂを挿入する溝部２１と、洗面室パネル６１を裏側より支持する支持部２２とを有した係合部２０を設ければ、洗面室パネル６１の端部は保持部材３０を用いて簡単に固定できる。
【００７０】
以上のようにして洗面室側開口部６ａと居室側開口部５ａとを接合することで、開口部３の寸法精度のばらつきを吸収することができる。すなわち、図１（ｂ）や図５（ｂ）に示すように、支持部２２を構成する溝壁２１ａと保持部材３０の固定部３１との間に空隙２３が形成されているので、その空隙２３の空間の見付け方向の範囲内に洗面室パネル６１の折曲部６１ｂを配することができる。こうして、この空隙部２３の空間で寸法誤差を吸収することができる。
【００７１】
さらに、保持部材３０の固定部３１を溝部２１に固定したうえで、保持部材３０の押さえ部３２で洗面室パネル６１を枠本体１０側に押さえる構成にすれば、洗面室パネル６１がずれたり外れたりすることなく、しっかりと枠本体１０に固定され得る。
【００７２】
また、保持部材３０は固定部３１と押さえ部３２とを有した簡易な形状であるため、安価に製造できる。特に板状材を用いれば、容易に保持部材３０を成形できる。また、保持部材３０を短尺部材で構成すれば、溝部２１の長手方向の適所に取り付けることができ、個数を調整して洗面室パネル６１の取り付け強度を高めることができる。保持部材３０が短尺部材であるため、縦枠、上枠のいずれにも利用できる。もちろん、保持部材３０は洗面室パネル６１に合致した長尺のものであってもよい。
【００７３】
また、開口枠１がカバー部材４０を備えているため、開口枠１の洗面室側端部１１を、溝部２１や保持部材３０を露出させることなく覆い隠すことができる。カバー部材４０は、保持部材３０に対して押圧して取り付けできる構成とされているため、取り付けも簡単にできる。
【００７４】
カバー部材４０の表面には化粧シートを貼り付けてもよい。また、カバー部材４０自体を着色した成形体としてもよく、カバー部材の表面に塗装や転写を施してもよい。このようにすることで、枠本体１０と同一または類似した色調や木目模様の表面にすることができ、枠本体１０の洗面室側のケーシング枠のように見せることができる。もちろん、カバー部材４０は、上記のような外観向上の目的のためだけでなく、防水性（洗面室６から居室５側への水の浸入の防止）の向上にも寄与することは言うまでもない。
【００７５】
また、第１実施形態に係る開口枠１によれば、溝部２１が枠本体１０に設けた凹溝１２よりなるため、少ない部材で係合部２０を構成することができ、開口枠１の構成部材の製造を簡易化できる。この開口枠１は、図１に示すように、枠本体１０の洗面室側端部１１の端面を見付け方向に広く利用できる（蝶番８ａを取り付ける必要のない）、開き戸８が居室５側に開く開口部３に適用しやすい。
【００７６】
また、第２実施形態に係る開口枠１は、図５に示すように、開き戸８の蝶番８ａにより、枠本体１０の洗面室側端部１１を見付け方向に広く利用できず、枠本体１０に凹溝１２（第１実施形態のもの）を形成しにくい場合に用いられる。つまり、この開口枠１は上述したように開き戸８が洗面室６側に開く開口部３に適用しやすい。
【００７７】
このように凹溝１２が形成できない枠本体１０であっても、切欠き凹所１３を設け、その切欠き凹所１３にＬ字部材２５を取り付けることで溝部２１を形成することができる。そのため、上述したように、保持部材３０および洗面室パネル６１の係合構造は、第１実施形態のものと同様とすることができる。
【符号の説明】
【００７８】
１            開口枠
１ａ          戸当たり部材
１ｂ          建付け調整金具
１ｃ          ケーシング
３            開口部
５            居室
５ａ          居室側開口部
６            洗面室
６ａ          洗面室側開口部
１０          枠本体
１１          洗面室側端部
１２          凹溝
１３          切欠き凹所
２０          係合部
２１          溝部
２２          支持部
２３          空隙
２５          Ｌ字部材
２５ａ        一方片
２５ｂ        他方片
３０          保持部材
３１          固定部
３２          押さえ部
３４          係止片
３６          固定具
４０          カバー部材
４１          カバー部
４２          脚部
４３          係止突部
５０          居室壁
６０          洗面室壁
６１          洗面室パネル
６１ａ        添設部
６１ｂ        折曲部
【図１】
2020084635.tif 000003
【図２】
2020084635.tif 000004
【図３】
2020084635.tif 000005
【図４】
2020084635.tif 000006
【図５】
2020084635.tif 000007
【図６】
2020084635.tif 000008
【図７】
2020084635.tif 000009
【図８】
2020084635.tif 000010